(57)【要約】      （修正有）【課題】低温水排出バルブと高温水排出バルブとを有する電気スチームアイロンの低温スチームコントロールシステムを提供する。【解決手段】低温水排出バルブ１２および高温水排出バルブ１４を、低温バイメタルプレート１６および高温バイメタルプレート１８によってそれぞれ制御することができる。それぞれのバイメタルプレートは、異なる熱膨張係数を有する２つの被覆メタルプレートを有することができる。底板２８が第１温度へ加熱エレメントによって加熱されると、低温バイメタルプレートは撓みそして低温水排出バルブを開くことができ、これにより、水が水タンク２４から気化チャンバ２６へ流れることを可能にする。底板が第２温度へ加熱エレメントによってさらに加熱されると、高温バイメタルプレートは撓みそして高温水排出バルブを開くことができ、これにより、さらなる水が水タンクから気化チャンバ２６へ流れることを可能にする。【選択図】図２
0003160930.tif 000002
【実用新案登録請求の範囲】
【請求項１】
複数のスチームベントを有する底板と、
底板上に配置される気化チャンバと、
水を気化チャンバに供給する水タンクと、
水タンクから気化チャンバへ水が通って流れる第１および第２バルブと、
第１バイメタルプレートであって、加熱エレメントによって底板が第１温度に加熱されたとき、第１バルブに向かって撓み第１バルブを押して開くように配置され、よって第１容量の水が水タンクから気化チャンバ内へ流れ、スチームベントを通じて第１容量のスチームが発生し、デリケートな衣類のスチームアイロン掛けが可能であるものと、
第２バイメタルプレートであって、加熱エレメントによって底板が第２温度にさらに加熱されたとき、第２バルブに向かって撓み第２バルブを押して開くように配置され、よってさらなる容量の水が水タンクから気化チャンバ内へ流れてさらなる容量のスチームがスチームベントを通じて発生し、デリケートでない衣類のスチームアイロン掛けがかのうであるものと、
を備えるスチームアイロン。
【請求項２】
請求項１に記載のスチームアイロンであって、底板の温度が第２温度より低い温度に低下するとき、第２バイメタルプレートは第２バルブから離れるよう撓み第２バルブを閉じ、底板の温度が第１温度より低い温度に低下するとき、第１バイメタルプレートは第１バルブから離れるよう撓み第１バルブを閉じるスチームアイロン。
【請求項３】
請求項１に記載のスチームアイロンであって、第１および第２バイメタルプレートのそれぞれは、異なる熱膨張係数を有する２つの被覆メタルプレートを備えるスチームアイロン。
【請求項４】
請求項３に記載のスチームアイロンであって、さらに、それぞれ、第１および第２バイメタルプレートに固定されるとともに第１および第２バイメタルプレートから延設されて、第１および第２バルブを押す第１および第２アームを備えるスチームアイロン。
【請求項５】
請求項１に記載のスチームアイロンであって、第１および第２バルブのそれぞれが、バルブを閉じた位置に付勢するスプリングを備えているスチームアイロン。
【請求項６】
請求項１に記載のスチームアイロンであって、第１および第２バルブは、水タンクと気化チャンバとの間に装着されるプラットホームに設置されているスチームアイロン。
【請求項７】
請求項１に記載のスチームアイロンであって、第１および第２バルブは、気化チャンバに装着されるプラットホームにおける第１および第２バルブ開口部においてそれぞれ動作可能であり、プラットホームには、第１および第２バルブ開口部から気化チャンバへ水が通って流れる第１および第２通路が配置されているスチームアイロン。
【請求項８】
請求項７に記載のスチームアイロンであって、さらに、水コンパートメントであって、水タンクから水コンパートメントへ水が通って流れる第１開口部と、第１および第２バルブ開口部とそれぞれ位置合わせされており水コンパートメントから第１および第２通路へそして気化チャンバへ水が通って流れる第２および第３開口部と、を有する水コンパートメントを備えるスチームアイロン。
【請求項９】
請求項１に記載のスチームアイロンであって、第１温度は約１００℃であり、第２温度は約１４０℃であるスチームアイロン。
【請求項１０】
請求項２に記載のスチームアイロンであって、底板の温度が約１３０℃に低下するとき、第２バイメタルプレートは第２バルブから離れるよう撓み第２バルブを閉じ、底板の温度が約９５℃に低下するとき、第１バイメタルプレートは第１バルブから離れるよう撓み第１バルブを閉じるスチームアイロン。
【請求項１１】
底板が第１温度に加熱されるとき、水が水タンクから気化チャンバへ流れることを可能にするよう適合された第１バルブアセンブリと、
底板が第２温度にさらに加熱されるとき、さらなる水が水タンクから気化チャンバへ流れることを可能にするよう適合された第２バルブアセンブリと、
を備えるスチームアイロン。
【請求項１２】
請求項１２に記載のスチームアイロンであって、
第１バルブアセンブリが、
水タンクから気化チャンバへ水が通って流れる第１バルブと、
デリケートな衣類のスチームアイロン掛けのために、加熱エレメントによって底板が第１温度に加熱されたとき、第１バルブに向かって撓み第１バルブを押して開き、これにより、第１容量の水が水タンクから気化チャンバ内へ流れて第１容量のスチームを発生することを可能にするよう、構成された第１バイメタルプレートと、
を備えており、
第２バルブアセンブリが、
水タンクから気化チャンバへ水が通って流れる第２バルブと、
デリケートでない衣類のスチームアイロン掛けのために、加熱エレメントによって底板が第２温度にさらに加熱されたとき、第２バルブに向かって撓み第２バルブを押して開き、これにより、さらなる容量の水が水タンクから気化チャンバ内へ流れてさらなる容量のスチームを発生することを可能にするよう、構成された第２バイメタルプレートと、
を備えているスチームアイロン。
【請求項１３】
請求項１２に記載のスチームアイロンであって、底板の温度が第２温度より低い温度に低下するとき、第２バイメタルプレートは第２バルブから離れるよう撓み第２バルブを閉じ、底板の温度が第１温度より低い温度に低下するとき、第１バイメタルプレートは第１バルブから離れるよう撓み第１バルブを閉じるスチームアイロン。
【請求項１４】
請求項１２に記載のスチームアイロンであって、第１および第２バイメタルプレートのそれぞれは、異なる熱膨張係数を有する２つの被覆メタルプレートを備えるスチームアイロン。
【請求項１５】
請求項１４に記載のスチームアイロンであって、さらに、それぞれ、第１および第２バイメタルプレートに固定されるとともに第１および第２バイメタルプレートから延設されて、第１および第２バルブを押す第１および第２アームを備えるスチームアイロン。
【考案の詳細な説明】
【技術分野】
【０００１】
本願は、２００９年４月８日に出願した米国仮出願６１／１６７，８６４号の優先権を主張し、内容のすべてを参照によってここに援用する。
【０００２】
本実用新案出願は、低温スチームコントロールシステムを有する電気スチームアイロンに関連する。
【背景技術】
【０００３】
従来の電気スチームアイロンは、水リザーバと、水排出バルブと、および気化チャンバと、を有する。水は、水リザーバから、水排出バルブを通って、そして気化チャンバへと流れる。気化チャンバにおいて、水は底板から熱によって蒸発する。底板が高温にある場合、スチームが発生し底板上のスチームホールを通って放出される。しかしながら、低温では、温度が下がると、気化チャンバ内に残っている水がアイロン掛けの際望ましくないことにスチームホールから落下する傾向がある。
【考案の概要】
【考案が解決しようとする課題】
【０００４】
低温でのスチームホールからの水の望ましくない漏れを防止する低温スチームコントロールシステムを有する改善された電気スチームアイロンを提供するニーズがある。
【０００５】
背景技術の上記説明は、本実用新案出願において開示する低温スチームコントロールシステムを有する電気スチームアイロンの理解を助けるためのものであって、妥当な従来技術を記述あるいは構成することを自認するものではない。
【課題を解決するための手段】
【０００６】
一の面では、提供されるスチームアイロンは、底板と、気化チャンバと、水タンクと、第１および第２バルブと、第１バイメタルプレートと、第２バイメタルプレートと、を有する。底板は、複数のスチームベントを有する。気化チャンバは、底板上に配置される。水タンクは、水を気化チャンバに供給する。水が第１および第２バルブを通って水タンクから気化チャンバへ流れる。第１バイメタルプレートは、加熱エレメントによって底板が第１温度に加熱されたとき、第１バルブに向かって撓み第１バルブを押して開きく。これにより、第１容量の水が水タンクから気化チャンバ内へ流れて第１容量のスチームがスチームベントを通じて発生し、デリケートな衣類のスチームアイロン掛けが可能である。第２バイメタルプレートは、加熱エレメントによって底板が第２温度にさらに加熱されたとき、第２バルブに向かって撓み第２バルブを押して開く。これにより、さらなる容量の水が水タンクから気化チャンバ内へ流れてさらなる容量のスチームがスチームベントを通じて発生し、デリケートでない衣類のスチームアイロン掛けが可能である。
【０００７】
一の態様では、底板の温度が第２温度より低い温度に低下するとき、第２バイメタルプレートは第２バルブから離れるよう撓み第２バルブを閉じ、底板の温度が第１温度より低い温度に低下するとき、第１バイメタルプレートは第１バルブから離れるよう撓み第１バルブを閉じる。
【０００８】
一の態様では、第１および第２バイメタルプレートのそれぞれは、異なる熱膨張係数を有する２つの被覆メタルプレートを備える。
【０００９】
一の態様では、スチームアイロンは、さらに、それぞれ、第１および第２バイメタルプレートに固定されるとともに第１および第２バイメタルプレートから延設されて、第１および第２バルブを押す第１および第２アームを有する。
【００１０】
一の態様では、第１および第２バルブのそれぞれが、バルブを閉じた位置に付勢するスプリングを有している。
【００１１】
一の態様では、第１および第２バルブは、水タンクと気化チャンバとの間に装着されるプラットホームに設置されている。
【００１２】
一の態様では、第１および第２バルブは、気化チャンバに装着されるプラットホームにおける第１および第２バルブ開口部においてそれぞれ動作可能であり、プラットホームには、第１および第２バルブ開口部から気化チャンバへ水が通って流れる第１および第２通路が配置されている。
【００１３】
一の態様では、スチームアイロンは、さらに、水タンクから水コンパートメントへ水が通って流れる第１開口部と、第１および第２バルブ開口部とそれぞれ位置合わせされており水コンパートメントから第１および第２通路へそして気化チャンバへ水が通って流れる第２および第３の開口部と、を有する水コンパートメントを有する。
【００１４】
一の態様では、第１および第２バイメタルプレートは気化チャンバ上に支持される。
【００１５】
一の態様では、第１温度は約１００℃である。
【００１６】
一の態様では、第２温度は約１４０℃である。
【００１７】
一の態様では、底板の温度が約１３０℃に低下するとき、第２バイメタルプレートは第２バルブから離れるよう撓み第２バルブを閉じる。
【００１８】
一の態様では、底板の温度が約９５℃に低下するとき、第１バイメタルプレートは第１バルブから離れるよう撓み第１バルブを閉じる。
【００１９】
一の態様では、底板の温度が約１２０℃に達するとき、第１容量のスチームは約２〜７ｇ／分のレートで発生する。
【００２０】
他の面では、提供されるスチームアイロンは、底板が第１温度に加熱されるとき、水が水タンクから気化チャンバへ流れることを可能にするよう適合された第１バルブアセンブリと、底板が第２温度にさらに加熱されるとき、さらなる水が水タンクから気化チャンバへ流れることを可能にするよう適合された第２バルブアセンブリと、を有する。
【００２１】
一の態様では、第１および第２バルブアッセンブリは、第１および第２バルブと、第１バイメタルプレートと、第２バイメタルプレートと、を有する。水が第１および第２バルブを通って水タンクから気化チャンバへそれぞれ流れる。第１バイメタルプレートは、デリケートな衣類のスチームアイロン掛けのために、加熱エレメントによって底板が第１温度に加熱されたとき、第１バルブに向かって撓み第１バルブを押して開き、これにより、第１容量の水が水タンクから気化チャンバ内へ流れて第１容量のスチームを底板における複数のスチームベントを通じて発生することを可能にするよう、構成されている。第２バイメタルプレートは、デリケートでない衣類のスチームアイロン掛けのために、加熱エレメントによって底板が第２温度にさらに加熱されたとき、第２バルブに向かって撓み第２バルブを押して開き、これにより、さらなる容量の水が水タンクから気化チャンバ内へ流れてさらなる容量のスチームをスチームベントを通じて発生することを可能にするよう、構成されている。
【００２２】
一の態様では、底板の温度が第２温度より低い温度に低下するとき、第２バイメタルプレートは第２バルブから離れるよう撓み第２バルブを閉じ、底板の温度が第１温度より低い温度に低下するとき、第１バイメタルプレートは第１バルブから離れるよう撓み第１バルブを閉じる。
【００２３】
一の態様では、第１および第２バイメタルプレートのそれぞれは、異なる熱膨張係数を有する２つの被覆メタルプレートを有する。
【００２４】
一の態様では、スチームアイロンは、さらに、それぞれ、第１および第２バイメタルプレートに固定されるとともに第１および第２バイメタルプレートから延設されて、第１および第２バルブを押す第１および第２アームを有する。
【００２５】
一の態様では、第１および第２バルブのそれぞれが、バルブを閉じた位置に付勢するスプリングを有している。
【００２６】
一の態様では、第１および第２バルブは、水タンクと気化チャンバとの間に装着されるプラットホームに設置されている。
【００２７】
一の態様では、第１および第２バルブは、気化チャンバに装着されるプラットホームにおける第１および第２バルブ開口部においてそれぞれ動作可能であり、プラットホームには、第１および第２バルブ開口部から気化チャンバへ水が通って流れる第１および第２通路が配置されている。
【００２８】
一の態様では、スチームアイロンは、さらに、水タンクから水コンパートメントへ水が通って流れる上部開口部と、第１および第２バルブ開口部とそれぞれ位置合わせされており水コンパートメントから第１および第２通路へそして気化チャンバへ水が通って流れる第１および第２下部開口部と、を有する水コンパートメントを有する。
【００２９】
一の態様では、第１および第２バイメタルプレートは気化チャンバ上に支持される。
【００３０】
一の態様では、第１温度は約１００℃である。
【００３１】
一の態様では、第２温度は約１４０℃である。
【００３２】
一の態様では、底板の温度が約１３０℃に低下するとき、第２バイメタルプレートは第２バルブから離れるよう撓む。
【００３３】
一の態様では、底板の温度が約９５℃に低下するとき、第１バイメタルプレートは第１バルブから離れるよう撓む。
【００３４】
一の態様では、底板の温度が約１２０℃に達するとき、第１容量のスチームは約２〜７ｇ／分のレートで発生する。
【００３５】
本実用新案出願において開示する低温スチームコントロールシステムを有する電気スチームアイロンの特定の態様を、例示の目的で、添付図面を参照して説明する。
【図面の簡単な説明】
【００３６】
【図１】図１は、低温スチームコントロールシステムを有する電気スチームアイロンの斜視図である。
【図２】図２は、本実用新案出願において開示する実施形態にかかる２つの水入口を有する低温スチームコントロールシステムの断面図である。
【図３】図３は、一方の水入口が開いている、図２と同様の低温スチームコントロールシステムの断面図である。
【図４】図４は、両方の水入口が開いている、図２と同様の低温スチームコントロールシステムの断面図である。
【図５】図５は、加熱エレメントの装着を示す底板の斜視図である。
【図６】図６は、低温スチームコントロールシステムの２つのバルブおよび２つのバイメタルプレートの斜視図である。
【図７】図７は、２つのバルブおよび２つのバイメタルプレートの分解組立図である。
【図８】図８は、低温スチームコントロールシステムのスチームシャフト部の斜視図である。
【図９】図９は、低温スチームコントロールシステムの水リザーバの斜視図である。
【図１０】図１０は、水リザーバのキャップが外されている図９と同様の水リザーバの斜視図である。
【図１１】図１１は、２つのバイメタルプレートの装着を示す底板の斜視図である。
【考案を実施するための形態】
【００３７】
次に、本実用新案出願において開示する低温スチームコントロールシステムを有する電気スチームアイロンの好ましい形態の記載を詳細に行う。好ましい形態の例もまた以下に説明する。本実用新案出願において開示する低温スチームコントロールシステムを有する電気スチームアイロンの例示的な実施形態を詳細に説明するが、モジュールのツールシステムの理解にとって特に重要でないいくつかの特徴を明瞭のために示していないこともあることは当業者には理解されよう。
【００３８】
さらに、本実用新案出願において開示する低温スチームコントロールシステムを有する電気スチームアイロンは、後述する詳細な実施形態に限定されず、添付の請求項の精神あるいは範囲を逸脱することなく種々の変形および変更を当業者によってなしうることは、理解されよう。例えば、異なる例示的な実施形態のエレメントおよび／または特徴を、添付の請求項の範囲内で、互いに組み合わせること、かつ／または、互いに置き換えることができる。
【００３９】
図１は、低温スチームコントロールシステムを有する電気スチームアイロンの斜視図である。図２、図３および図４は、本実用新案出願において開示する実施形態にかかる電気スチームアイロンの低温スチームコントロールシステムの断面図である。低温スチームコントロールシステムは低温水排出バルブ１２と高温水排出バルブ１４とを有することができる。それぞれ参照符号１６および１８で概ね示す低温バイメタルプレートおよび高温バイメタルプレートによって、低温および高温水排出バルブ１２，１４を作動することができる。
【００４０】
低温および高温バイメタルプレート１６，１８を、底板２８に配置された気化チャンバ２６の上部壁に支持することができる。それぞれのバイメタルプレート１６，１８は、異なる熱膨張係数を有する２つの被覆メタルプレートを有することができる。低温および高温バイメタルプレート１６，１８が、図５に示す底板２８に装着される加熱エレメント２０によって加熱されるとき、熱膨張特性における差異により２つの異なる方向に撓むことができる。
【００４１】
図６および図７によく示すように、低温バイメタルプレート１６は２つの被覆メタルプレート１６ａ，１６ｂを有することができ、また、高温バイメタルプレート１８は２つの被覆メタルプレート１８ａ，１８ｂを有することができる。アーム１７をメタルプレート１６ａに固定するとともにメタルプレート１６ａから延設することができ、これにより、低温水排出バルブ１２と当接するとともに低温水排出バルブ１２を押し上げることができる。同様に、アーム１９をメタルプレート１８ａに固定するとともにメタルプレート１８ａから延設することができ、これにより、高温水排出バルブ１４と当接するとともに低温水排出バルブ１４を押し上げることができる。
【００４２】
本願において開示する実施形態では、低温および高温水排出バルブ１２，１４を、メイン水タンク２４と気化チャンバ２６との間に装着することができるプラットホーム５０に設置することができる。それぞれの水排出バルブ１２，１４を、通常の閉じた位置へスプリング４０によって付勢することができる。
【００４３】
低温および高温水排出バルブ１２，１４は、プラットホーム５０にそれぞれ配置される第１および第２バルブ開口部５６，５８内において動作可能である。プラットホーム５０には、第１および第２バルブ開口部５６，５８から気化チャンバ２６内へ水が通って流れることができる第１および第２通路５２，５４を配置することができる。
【００４４】
図８乃至図１０に示すように、中間水コンパートメント６０をメイン水タンク２４の下に配置することができる。中間水コンパートメント６０は、スチームシャフト３０が持ち上げられたときに水タンク２４から水コンパートメント６０へ水が通って流れることができる上部開口部６２と、第１および第２バルブ開口部５６，５８とそれぞれ位置合わせされており水コンパートメント６０から第１および第２通路５２，５４へそして気化チャンバ２６へ水が通って流れることができる第１および第２下部開口部６４，６６と、を有することができる。第１および第２下部開口部６４，６６を、底板２８に装着される水平パーティション壁７２に形成することができる。
【００４５】
電気スチームアイロンには、２つのバルブアセンブリ、すなわち低温バルブアセンブリと高温バルブアセンブリがある。低温バルブアセンブリは、低温水排出バルブ１２と低温バイメタルプレート１６とを有することができる。高温バルブアセンブリは、高温水排出バルブ１４と高温バイメタルプレート１８とを有することができる。
【００４６】
２つのバルブアセンブリが熱によってアクティブにされることは理解されよう。低温バイメタルプレート１６は、底板２８の温度が約１００℃に達すると、上方へ撓み低温水排出バルブ１２を押して開くよう、そして、底板２８の温度が約９５℃へ低下すると、下方へ撓み低温水排出バルブ１２を閉じるよう、適合されている。
【００４７】
また、高温バイメタルプレート１８は、底板２８の温度が約１４０℃に達すると、上方へ撓み高温水排出バルブ１４を押して開くよう、そして、底板２８の温度が約１３０℃へ低下すると、下方へ撓み高温水排出バルブ１４を閉じるよう、適合されている。
【００４８】
次に、電気スチームアイロンにおける低温コントロールシステムの低温および高温水排出バルブ１２，１４と低い１６および高温バイメタルプレート１６および１８の動作の詳細を説明する。
【００４９】
図２に示すように、底板２８の温度が９５℃より低いとき、あるいは電源がオフであるとき、低温および高温バイメタルプレート１６，１８の両方は下方へ撓み低温および高温水排出バルブ１２，１４をそれぞれ閉じる。スチームシャフト３０が持ち上げられているときであっても、水タンク２４における水Ｗは気化チャンバ２６に向かって流れることができない。
【００５０】
図３において、電力が加熱エレメント２０に供給され、底板２８の温度が約１００℃に達すると、低温バイメタルプレート１８は上方へ撓み、そして矢印で示すように低温水排出バルブ１２を押して開く。高温バイメタルプレート１８は依然として下方位置にあり、高温水排出バルブ１４は依然として閉じられている。図３において矢印で示すように、スチームシャフト３０が持ち上げられると、水Ｗは矢印で示すように水タンク２４からギャップ４２および低温水排出バルブ１２を通って気化チャンバ２６へ流れることができる。水は、気化チャンバ２６に入ると、底板２８上の加熱エレメント２０によってスチームへと蒸発する。２つの水排出バルブ１２，１４の一方だけが開いているので、比較的少量の水だけが気化チャンバ２６に流れ込むことができる。この比較的低温では、水は、底板２８のスチームベント２７（図５）から望ましくない排出はなされないことになる。
【００５１】
底板２８の温度が上昇し続け、約１２０℃に達すると、少量のスチーム（７〜１２ｇ／分）が底板２８のスチームベント２７から排出されることになる。この少量のスチームは、絹などで作られたデリケートな衣類のアイロン掛けに適している。
【００５２】
図４において、底板２８の温度が約１４０℃に達すると、高温バイメタルプレート１８もまた上方へ撓み、そして矢印によって示すように高温水排出バルブ１４を押して開く。スチームシャフト３０が持ち上げられると、水Ｗは矢印で示すように水タンク２４からギャップ４２および低温および高温水排出バルブ１２，１４を通って気化チャンバ２６へ流れることができる。
【００５３】
水は、気化チャンバ２６に入ると、底板２８上の加熱エレメント２０によってスチームへと蒸発する。低温および高温水排出バルブ１２，１４の両方が開いているので、比較的多量の水が気化チャンバ２６に流れ込むことができる。比較的この高温では、綿などで作られたデリケートでない衣類のアイロン掛けに適している比較的多量のスチームを底板２８のスチームベント２７から排出することができる。
【００５４】
加熱エレメント２０がオフにされ、底板２８の温度が約１００〜１２０℃に低下すると、高温バイメタルプレート１８は下方へ撓み、そして高温水排出バルブ１４を閉じる。低温バイメタルプレート１８はまだ上方へ撓んでおり、これにより、水タンク２４における少量の水Ｗが気化チャンバ２６へ流れることを可能にしている。これにより、気化チャンバ２６に過剰な水が貯まることを回避することができ、低温で底板２８のスチームベント２７から水の望ましくない排出すなわち漏れを防止することができる。
【００５５】
底板２８の温度が約９５℃まで低下し続けると、低温バイメタルプレート１８は同じく下方に撓む。低温および高温水排出バルブ１２，１４の両方は閉まっており、スチームあるいは水は底板２８のスチームベント２７から出てこない。
【００５６】
図１１に示すように、底板２８の温度を、底板２８の中心に位置する温度センサー７０によって測定することができる。底板２８の温度を、温度センサー７０に電気的に接続されたディスプレイ７２に表示することができる。
【００５７】
バイメタルプレート１６，１８をバルブ１２，１４を押して開くために用いることを図示し説明したが、温度検知手段と電気機械的バルブ作動手段との組み合わせなど他の適当な熱作動バルブ作動手段を用いることができることは当業者には理解されよう。
【００５８】
本実用新案出願において開示する低温スチームコントロールシステムを有する電気スチームアイロンをいくつかの好ましい実施形態を特に参照して図示し説明したが、添付の請求項から逸脱することなく種々の変形および変更を行うことができることを付言しておく。
【符号の説明】
【００５９】
１２  低温水排出バルブ
１４  高温水排出バルブ
１６  低温バイメタルプレート
１６ａ，１６ｂ  被覆メタルプレート
１７  アーム
１８  高温バイメタルプレート
１８ａ，１８ｂ  被覆メタルプレート
２０  加熱エレメント
２４  メイン水タンク
２６  気化チャンバ
２７  スチームベント
２８  底板
３０  スチームシャフト
５０  プラットホーム
５２  第１通路
５４  第２通路
５６  第１バルブ開口部
５８  第２バルブ開口部
６０  中間水コンパートメント
６２  上部開口部
６４  第１下部開口部
６６  第２下部開口部
７０  温度センサー
７２  水平パーティション壁
Ｗ  水
【図１】
0003160930.tif 000003
【図２】
0003160930.tif 000004
【図３】
0003160930.tif 000005
【図４】
0003160930.tif 000006
【図５】
0003160930.tif 000007
【図６】
0003160930.tif 000008
【図７】
0003160930.tif 000009
【図８】
0003160930.tif 000010
【図９】
0003160930.tif 000011
【図１０】
0003160930.tif 000012
【図１１】
0003160930.tif 000013
【手続補正書】
【提出日】平成22年5月12日(2010.5.12)
【手続補正１】
【補正対象書類名】実用新案登録請求の範囲
【補正対象項目名】全文
【補正方法】変更
【補正の内容】
【実用新案登録請求の範囲】
【請求項１】
複数のスチームベントを有する底板と、
底板上に配置される気化チャンバと、
水を気化チャンバに供給する水タンクと、
水タンクから気化チャンバへ水が通って流れる第１および第２バルブと、
第１バイメタルプレートであって、加熱エレメントによって底板が第１温度に加熱されたとき、第１バルブに向かって撓み第１バルブを押して開くように配置され、よって第１容量の水が水タンクから気化チャンバ内へ流れ、スチームベントを通じて第１容量のスチームが発生し、デリケートな衣類のスチームアイロン掛けが可能であるものと、
第２バイメタルプレートであって、加熱エレメントによって底板が第２温度にさらに加熱されたとき、第２バルブに向かって撓み第２バルブを押して開くように配置され、よってさらなる容量の水が水タンクから気化チャンバ内へ流れてさらなる容量のスチームがスチームベントを通じて発生し、デリケートでない衣類のスチームアイロン掛けがかのうであるものと、
を備えるスチームアイロン。
【請求項２】
請求項１に記載のスチームアイロンであって、底板の温度が第２温度より低い温度に低下するとき、第２バイメタルプレートは第２バルブから離れるよう撓み第２バルブを閉じ、底板の温度が第１温度より低い温度に低下するとき、第１バイメタルプレートは第１バルブから離れるよう撓み第１バルブを閉じるスチームアイロン。
【請求項３】
請求項１に記載のスチームアイロンであって、第１および第２バイメタルプレートのそれぞれは、異なる熱膨張係数を有する２つの被覆メタルプレートを備えるスチームアイロン。
【請求項４】
請求項３に記載のスチームアイロンであって、さらに、それぞれ、第１および第２バイメタルプレートに固定されるとともに第１および第２バイメタルプレートから延設されて、第１および第２バルブを押す第１および第２アームを備えるスチームアイロン。
【請求項５】
請求項１に記載のスチームアイロンであって、第１および第２バルブのそれぞれが、バルブを閉じた位置に付勢するスプリングを備えているスチームアイロン。
【請求項６】
請求項１に記載のスチームアイロンであって、第１および第２バルブは、水タンクと気化チャンバとの間に装着されるプラットホームに設置されているスチームアイロン。
【請求項７】
請求項１に記載のスチームアイロンであって、第１および第２バルブは、気化チャンバに装着されるプラットホームにおける第１および第２バルブ開口部においてそれぞれ動作可能であり、プラットホームには、第１および第２バルブ開口部から気化チャンバへ水が通って流れる第１および第２通路が配置されているスチームアイロン。
【請求項８】
請求項７に記載のスチームアイロンであって、さらに、水コンパートメントであって、水タンクから水コンパートメントへ水が通って流れる第１開口部と、第１および第２バルブ開口部とそれぞれ位置合わせされており水コンパートメントから第１および第２通路へそして気化チャンバへ水が通って流れる第２および第３開口部と、を有する水コンパートメントを備えるスチームアイロン。
【請求項９】
請求項１に記載のスチームアイロンであって、第１温度は約１００℃であり、第２温度は約１４０℃であるスチームアイロン。
【請求項１０】
請求項２に記載のスチームアイロンであって、底板の温度が約１３０℃に低下するとき、第２バイメタルプレートは第２バルブから離れるよう撓み第２バルブを閉じ、底板の温度が約９５℃に低下するとき、第１バイメタルプレートは第１バルブから離れるよう撓み第１バルブを閉じるスチームアイロン。
【請求項１１】
底板が第１温度に加熱されるとき、水が水タンクから気化チャンバへ流れることを可能にするよう適合された第１バルブアセンブリと、
底板が第２温度にさらに加熱されるとき、さらなる水が水タンクから気化チャンバへ流れることを可能にするよう適合された第２バルブアセンブリと、
を備えるスチームアイロン。
【請求項１２】
請求項１１に記載のスチームアイロンであって、
第１バルブアセンブリが、
水タンクから気化チャンバへ水が通って流れる第１バルブと、
デリケートな衣類のスチームアイロン掛けのために、加熱エレメントによって底板が第１温度に加熱されたとき、第１バルブに向かって撓み第１バルブを押して開き、これにより、第１容量の水が水タンクから気化チャンバ内へ流れて第１容量のスチームを発生することを可能にするよう、構成された第１バイメタルプレートと、
を備えており、
第２バルブアセンブリが、
水タンクから気化チャンバへ水が通って流れる第２バルブと、
デリケートでない衣類のスチームアイロン掛けのために、加熱エレメントによって底板が第２温度にさらに加熱されたとき、第２バルブに向かって撓み第２バルブを押して開き、これにより、さらなる容量の水が水タンクから気化チャンバ内へ流れてさらなる容量のスチームを発生することを可能にするよう、構成された第２バイメタルプレートと、
を備えているスチームアイロン。
【請求項１３】
請求項１２に記載のスチームアイロンであって、底板の温度が第２温度より低い温度に低下するとき、第２バイメタルプレートは第２バルブから離れるよう撓み第２バルブを閉じ、底板の温度が第１温度より低い温度に低下するとき、第１バイメタルプレートは第１バルブから離れるよう撓み第１バルブを閉じるスチームアイロン。
【請求項１４】
請求項１２に記載のスチームアイロンであって、第１および第２バイメタルプレートのそれぞれは、異なる熱膨張係数を有する２つの被覆メタルプレートを備えるスチームアイロン。
【請求項１５】
請求項１４に記載のスチームアイロンであって、さらに、それぞれ、第１および第２バイメタルプレートに固定されるとともに第１および第２バイメタルプレートから延設されて、第１および第２バルブを押す第１および第２アームを備えるスチームアイロン。